(57)【要約】      （修正有）【課題】砥石径拡大装置を備えたホーニング加工装置において砥石の摩耗の大小に関係なく、砥石による研摩加工後におけるワークの円筒状内周面の表面粗さのばらつきを小さくすることができるホーニング装置を提供する。【解決手段】油圧供給装置２０からの油圧オイルの供給を受けて軸方向に移動する油圧作動軸７の該移動により上記砥石径を拡大させる砥石径拡大装置１７が砥石径の拡大開始以降に、検出装置（流量検出装置３１）により検出される所定のパラメータ（上記油圧オイルの供給流量）の変化が所定値以下となる状態が所定時間継続したときに、複数の砥石１１が円筒状内周面６０に接触したと判断した時を研摩加工の開始の基準にして所定条件が成立するまで該研摩加工を実行する。【選択図】図１
2018043303.tif 000002
【特許請求の範囲】
【請求項１】
複数の砥石が周方向に並べられかつ径方向に拡大及び縮小可能に装着されたホーニングツールと、該ホーニングツールの各砥石がワークの円筒状内周面に接触するように砥石径を拡大させる砥石径拡大装置とを備え、該砥石径拡大装置により上記砥石径を拡大させた状態で、上記ホーニングツールを軸方向に往復移動させかつ回転駆動することにより上記円筒状内周面をホーニング加工するホーニング加工装置であって、
上記砥石径拡大装置は、油圧供給装置からの油圧オイルの供給を受けて軸方向に移動する油圧作動軸を有していて、該油圧作動軸の軸方向の移動により上記砥石径を拡大させるように構成されており、
上記砥石径拡大装置による上記砥石径の拡大開始以降において、上記複数の砥石が上記円筒状内周面に接触するまでは値が変化しかつ接触したとき以降は略一定の値になる所定のパラメータを検出する検出装置と、
上記砥石径拡大装置による上記砥石径の拡大開始以降において、上記検出装置により検出される上記所定のパラメータの変化が所定値以下となる状態が所定時間継続したときに、上記複数の砥石が上記円筒状内周面に接触したと判断するとともに、該判断時を上記砥石による上記円筒状内周面の研摩加工の開始の基準にして所定条件が成立するまで該研摩加工を実行する制御装置とを備えていることを特徴とするホーニング加工装置。
【請求項２】
請求項１記載のホーニング加工装置において、
上記所定のパラメータは、上記砥石径を拡大させるために上記油圧供給装置から供給される油圧オイルの供給流量であり、
上記検出装置は、上記油圧オイルの供給流量を検出する流量検出装置であることを特徴とするホーニング加工装置。
【請求項３】
請求項１記載のホーニング加工装置において、
上記所定のパラメータは、上記油圧作動軸の軸方向の位置であり、
上記検出装置は、上記油圧作動軸の軸方向の位置を検出する位置検出装置であることを特徴とするホーニング加工装置。
【請求項４】
請求項１〜３のいずれか１つに記載のホーニング加工装置において、
上記複数の砥石は、上記円筒状内周面を仕上げ研摩加工するための仕上げ研摩砥石であり、
上記砥石径拡大装置は、上記仕上げ研摩砥石の砥石径を拡大させる仕上げ研摩砥石径拡大装置であり、
上記ホーニングツールには、上記仕上げ研摩砥石に加えて、該仕上げ研摩砥石による仕上げ研摩加工の前に上記円筒状内周面を荒研摩加工するための複数の荒研摩砥石が該ホーニングツールの周方向に並べられかつホーニングツールの径方向に拡大及び縮小可能に装着されており、
上記ホーニングツールの各荒研摩砥石が上記円筒状内周面に接触するように該荒研摩砥石の砥石径を拡大させる荒研摩砥石径拡大装置を更に備え、
上記荒研摩砥石径拡大装置は、駆動モータの駆動により軸方向に移動するモータ作動軸を有していて、該モータ作動軸の軸方向の移動により上記荒研摩砥石の砥石径を拡大させるように構成されていることを特徴とするホーニング加工装置。
【発明の詳細な説明】
【技術分野】
【０００１】
本発明は、複数の砥石が周方向に並べられかつ径方向に拡大及び縮小可能に装着されたホーニングツールを用いて、ワークの円筒状内周面をホーニング加工するホーニング加工装置に関する技術分野に属する。
【背景技術】
【０００２】
従来より、複数の砥石が周方向に並べられかつ径方向に拡大及び縮小可能に装着されたホーニングツールと、該ホーニングツールの各砥石がワークの円筒状内周面に接触するように砥石径（周方向に並ぶ上記複数の砥石の外接円の直径）を拡大させる砥石径拡大装置とを備え、該砥石径拡大装置により上記砥石径を拡大させた状態で、上記ホーニングツールを軸方向に往復移動させかつ回転駆動することにより上記円筒状内周面をホーニング加工するホーニング加工装置が知られている（例えば、特許文献１参照）。
【０００３】
特許文献１のホーニング加工装置では、砥石径拡大装置は、駆動モータの駆動により軸方向に移動する砥石操作軸を有していて、この砥石操作軸の軸方向の移動により上記砥石径を拡大させるように構成されている。
【０００４】
上記特許文献１のように駆動モータにより砥石径を拡大させるものでは、砥石がワークの円筒状内周面に接触したときに、ワークに大きな力が作用するという問題がある。そこで、上記特許文献１では、砥石接触圧を検出するためのロードセルを設けておき、このロードセルによる検出値が、砥石接触圧に相当する値になったときに、砥石径の拡大速度を低減するようにしている。
【先行技術文献】
【特許文献】
【０００５】
【特許文献１】特許第４３２６７７４号公報
【発明の概要】
【発明が解決しようとする課題】
【０００６】
しかし、上記特許文献１のように、砥石がワークの円筒状内周面に接触したことを検出して砥石径の拡大速度を低減するようにしたとしても、駆動モータにより砥石径を拡大させる場合には、砥石がワークの円筒状内周面に接触した瞬間にワークに大きな力が作用する。また、砥石の円筒状内周面への接触タイミングの検出誤差により、研摩加工後における円筒状内周面の表面粗さがばらつき易くなる。特に、荒研摩加工後に、ワークの円筒状内周面を殆ど削ることがないような仕上げ研摩加工を行う場合に、その仕上げ研摩加工後における上記円筒状内周面の表面粗さがより一層ばらつき易くなる。
【０００７】
そこで、油圧により砥石操作軸を軸方向に移動させることで、上記砥石径を拡大させるようにすることが考えられる。このように油圧により砥石径を拡大させる場合には、砥石の円筒状内周面への接触時における油圧を、ワークに大きな力が作用しないような圧力に予め設定しておけば、砥石が円筒状内周面に接触したとしても、ワークに大きな力が作用し難くなり、しかも、油圧オイルの弾力性によってもワークに大きな力が作用するのを防止することができる。また、砥石が円筒状内周面に接触した後も、比較的低い圧力（上記接触時の油圧）でもって砥石が円筒状内周面に接触するので、砥石の接触後に円筒状内周面が大きく削られ難く、このことから、油圧により砥石径の拡大は、特に仕上げ研摩加工に適していると言える。
【０００８】
このように、油圧により砥石径を拡大させる場合においては、例えば、砥石径の拡大開始から予め設定された設定時間だけ研摩加工を行うようにすれば、ロードセルのような、砥石のワークの円筒状内周面への接触を検出する検出装置を省略することができて、しかも、研摩加工後における円筒状内周面の表面粗さのばらつきを、駆動モータにより砥石径を拡大させる場合に比べて小さくすることができる。
【０００９】
しかしながら、上記のように砥石径の拡大開始時を研摩加工の開始の基準にした場合には、砥石の摩耗が進むと、円筒状内周面を実際に加工している時間が短くなるので、砥石の摩耗の程度によって、研摩加工後における円筒状内周面の表面粗さがばらつくという問題がある。
【００１０】
本発明は、斯かる点に鑑みてなされたものであり、その目的とするところは、ホーニングツールに装着された複数の砥石の砥石径を油圧により拡大させる砥石径拡大装置を備えたホーニング加工装置において、該砥石の摩耗の大小に関係なく、該砥石による研摩加工後におけるワークの円筒状内周面の表面粗さのばらつきを出来る限り小さくしようとすることにある。
【課題を解決するための手段】
【００１１】
上記の目的を達成するために、本発明では、複数の砥石が周方向に並べられかつ径方向に拡大及び縮小可能に装着されたホーニングツールと、該ホーニングツールの各砥石がワークの円筒状内周面に接触するように砥石径を拡大させる砥石径拡大装置とを備え、該砥石径拡大装置により上記砥石径を拡大させた状態で、上記ホーニングツールを軸方向に往復移動させかつ回転駆動することにより上記円筒状内周面をホーニング加工するホーニング加工装置を対象として、上記砥石径拡大装置は、油圧供給装置からの油圧オイルの供給を受けて軸方向に移動する油圧作動軸を有していて、該油圧作動軸の軸方向の移動により上記砥石径を拡大させるように構成されており、上記砥石径拡大装置による上記砥石径の拡大開始以降において、上記複数の砥石が上記円筒状内周面に接触するまでは値が変化しかつ接触したとき以降は略一定の値になる所定のパラメータを検出する検出装置と、上記砥石径拡大装置による上記砥石径の拡大開始以降において、上記検出装置により検出される上記所定のパラメータの変化が所定値以下となる状態が所定時間継続したときに、上記複数の砥石が上記円筒状内周面に接触したと判断するとともに、該判断時を上記砥石による上記円筒状内周面の研摩加工の開始の基準にして所定条件が成立するまで該研摩加工を実行する制御装置とを備えている、という構成とした。
【００１２】
上記の構成により、検出装置により検出される所定のパラメータの変化が所定値以下となる状態が所定時間継続したときには、所定のパラメータの値が略一定の値になっており、このことから、所定時間を適切にかつ出来る限り短い時間に設定することで、複数の砥石がワークの円筒状内周面に接触したことを正確に判断することができるようになる。そして、複数の砥石がワークの円筒状内周面に接触したと判断したときを、砥石による上記円筒状内周面の研摩加工の開始の基準にして所定条件が成立するまで該研摩加工を実行するので、砥石の摩耗が大きくても小さくても、砥石がワークの円筒状内周面に実際に接触したときから同じ条件で研摩加工を実行することができる。よって、砥石の摩耗の大小に関係なく、砥石による研摩加工後におけるワークの円筒状内周面の表面粗さのばらつきを出来る限り小さくすることができる。
【００１３】
上記ホーニング加工装置の一実施形態では、上記所定のパラメータは、上記砥石径を拡大させるために上記油圧供給装置から供給される油圧オイルの供給流量であり、上記検出装置は、上記油圧オイルの供給流量を検出する流量検出装置である。
【００１４】
すなわち、油圧オイルの供給流量は、複数の砥石がワークの円筒状内周面に接触するまでは変化し、接触したとき以降は略一定の値になり、しかも、流量検出装置により容易に検出することができる。よって、油圧オイルの供給流量は、所定のパラメータとして適切なパラメータとなる。
【００１５】
上記ホーニング加工装置の別の実施形態では、上記所定のパラメータは、上記油圧作動軸の軸方向の位置であり、上記検出装置は、上記油圧作動軸の軸方向の位置を検出する位置検出装置である。
【００１６】
すなわち、油圧作動軸の軸方向の位置は、複数の砥石がワークの円筒状内周面に接触するまでは変化し、接触したとき以降は略一定の値になり、しかも、位置検出装置により容易に検出することができる。よって、油圧作動軸の軸方向の位置は、所定のパラメータとして適切なパラメータとなる。また、位置検出装置は、安価であるので、ホーニング加工装置のコストの低減化を図ることができる。
【００１７】
上記ホーニング加工装置の更に別の実施形態では、上記複数の砥石は、上記円筒状内周面を仕上げ研摩加工するための仕上げ研摩砥石であり、上記砥石径拡大装置は、上記仕上げ研摩砥石の砥石径を拡大させる仕上げ研摩砥石径拡大装置であり、上記ホーニングツールには、上記仕上げ研摩砥石に加えて、該仕上げ研摩砥石による仕上げ研摩加工の前に上記円筒状内周面を荒研摩加工するための複数の荒研摩砥石が該ホーニングツールの周方向に並べられかつホーニングツールの径方向に拡大及び縮小可能に装着されており、上記ホーニングツールの各荒研摩砥石が上記円筒状内周面に接触するように該荒研摩砥石の砥石径を拡大させる荒研摩砥石径拡大装置を更に備え、上記荒研摩砥石径拡大装置は、駆動モータの駆動により軸方向に移動するモータ作動軸を有していて、該モータ作動軸の軸方向の移動により上記荒研摩砥石の砥石径を拡大させるように構成されている。
【００１８】
このことにより、１つのホーニング加工装置により、ワークの円筒状内周面に対して荒研摩加工と仕上げ研摩加工とを行うことができる。そして、荒研摩加工後に仕上げ研摩加工を行うことで、荒研摩加工後におけるワークの円筒状内周面の表面粗さがばらついたとしても、最終的には、仕上げ研摩加工により、ワークの円筒状内周面の表面粗さのばらつきを小さくすることができる。
【発明の効果】
【００１９】
以上説明したように、本発明のホーニング加工装置によると、砥石径拡大装置が、油圧供給装置からの油圧オイルの供給を受けて軸方向に移動する油圧作動軸を有していて、該油圧作動軸の軸方向の移動により砥石径を拡大させるように構成され、上記砥石径拡大装置による砥石径の拡大開始以降に、検出装置により検出される所定のパラメータの変化が所定値以下となる状態が所定時間継続したときに、複数の砥石がワークの円筒状内周面に接触したと判断するとともに、該判断時を砥石による上記円筒状内周面の研摩加工の開始の基準にして所定条件が成立するまで該研摩加工を実行するようにしたことにより、砥石の摩耗の大小に関係なく、砥石による研摩加工後におけるワークの円筒状内周面の表面粗さのばらつきを出来る限り小さくすることができる。
【図面の簡単な説明】
【００２０】
【図１】本発明の実施形態１に係るホーニング加工装置を示す概略断面図である。
【図２】仕上げ研摩加工後におけるワークの円筒状内周面の表面状態を示す図である。
【図３】上側油圧室への油圧オイルの供給開始からの時間と、流量検出装置により検出された、上側油圧室への油圧オイルの供給流量との関係を示すグラフである。
【図４】コントロールユニットによる、仕上げ研摩砥石の砥石径の拡大開始から仕上げ研摩加工の実行までの制御動作を示すフローチャートである。
【図５】本発明の実施形態２を示す図１相当図である。
【図６】上側油圧室への油圧オイルの供給開始からの時間と、位置検出装置により検出された、油圧作動軸の被検出部の高さ位置との関係を示すグラフである。
【発明を実施するための形態】
【００２１】
以下、本発明の実施形態を図面に基づいて詳細に説明する。
【００２２】
（実施形態１）
図１は、本発明の実施形態１に係るホーニング加工装置１を示す。このホーニング加工装置１は、ワークの円筒状内周面６０（特にディーゼルエンジンのシリンダライナの内周面）をホーニング加工するものである。
【００２３】
ホーニング加工装置１は、ホーニングツール２を備えている。このホーニングツール２は、上下方向に延びる中空状の本体軸３を有している。尚、図１では、便宜上、本体軸３が１つの部材で構成されているように記載されているが、実際には複数の部材で構成されている。また、本体軸３は、必ずしも上下方向に延びている必要はなく、例えば水平方向に延びていてもよい。
【００２４】
本体軸３（ホーニングツール２）は、詳細な図示は省略するが、本体軸駆動モータを含む本体軸駆動機構５によって、本体軸３の軸方向に往復移動しかつ本体軸３の中心軸回りに回転するように駆動される。本体軸３の軸方向の移動速度及び中心軸回りの回転速度は、予め決められた速度になっている。本体軸駆動機構５（上記本体軸駆動モータ）の作動は、コントロールユニット５０によって制御される。このコントロールユニット５０は、周知のマイクロコンピュータをベースとするコントローラであって、プログラムを実行する中央演算処理装置（ＣＰＵ）と、例えばＲＡＭやＲＯＭにより構成されてプログラム及びデータを格納するメモリと、電気信号の入出力をする入出力（Ｉ／Ｏ）バスと、を備えている。
【００２５】
本体軸３の内部には、後述の油圧供給装置２０からの油圧オイルの供給を受けて軸方向に移動する油圧作動軸７と、後述の作動軸駆動モータ９の駆動により軸方向に移動するモータ作動軸８とが、本体軸３と同軸に上下方向に延びるように設けられている。油圧作動軸７も中空状であり、その内部をモータ作動軸８が通る。油圧作動軸７及びモータ作動軸８は、それぞれ、本体軸３に対して上下移動可能に設けられている。油圧作動軸７の上端は、本体軸３の内部に位置する一方、モータ作動軸８は、本体軸３の上端開口から本体軸３の外側（上側）に延出している。
【００２６】
本体軸３の上下方向中間部には、シリンダ部３ａが形成されている。このシリンダ部３ａ内は、油圧作動軸７に固定された隔壁部７ａによって、上側油圧室３ｂと下側油圧室３ｃとに区画されている。隔壁部７ａはシリンダ部３ａ内を上下に摺動可能になされている。
【００２７】
本体軸３におけるシリンダ部３ａの上側部分の周囲には、円筒状の油圧オイル導入部材２１が設けられている。この油圧オイル導入部材２１は、不図示の支持部材に支持されている。本体軸３は、油圧オイル導入部材２１に対して回転可能である。
【００２８】
上側油圧室３ｂには、油圧供給装置２０の油圧供給源２２から、油圧オイル導入部材２１及び本体軸３に設けられかつ上側油圧室３ｂに接続される上側油圧室接続油路２３を介して油圧オイルが供給され、下側油圧室３ｃには、油圧供給源２２から、油圧オイル導入部材２１及び本体軸３に設けられかつ下側油圧室３ｃに接続される下側油圧室接続油路２４を介して油圧オイルが供給されるようになっている。上側油圧室３ｂへの油圧オイルの供給により、隔壁部７ａ（油圧作動軸７）が下側に移動する一方、上側油圧室３への油圧オイルの供給により、隔壁部７ａ（油圧作動軸７）が上側に移動する。
【００２９】
油圧オイル導入部材２１の内周面における上側油圧室接続油路２３及び下側油圧室接続油路２４の箇所には、本体軸３が油圧オイル導入部材２１に対して回転しても、油圧オイルが油圧オイル導入部材２１側から本体軸３側に流れるように、全周に亘って凹状のオイル溜め部２１ａがそれぞれ形成されている。各オイル溜め部２１ａの上側及び下側には、図示は省略するが、オイル溜め部２１ａのオイルの漏れを阻止するシール部材がそれぞれ配設されている。
【００３０】
油圧供給装置２０は、上記油圧オイル導入部材２１と、オイルポンプ及びオイルタンクを含む上記油圧供給源２２と、上記上側油圧室接続油路２３及び上記下側油圧室接続油路２４と、油圧オイル導入部材２１の上側油圧室接続油路２３に接続される第１オイル供給ライン２５と、油圧オイル導入部材２１の下側側油圧室接続油路２３に接続される第２オイル供給ライン２６と、第１及び第２オイル供給ライン２５，２６に、油圧供給源２２からの油圧オイルを切り換えて供給する切換バルブ２７と、第１オイル供給ライン２５に配設された油圧調整バルブ２８とを備えている。油圧供給源２２、切換バルブ２７及び油圧調整バルブ２８の作動は、コントロールユニット５０によって制御される。
【００３１】
切換バルブ２７によって第１オイル供給ライン２５（つまり上側油圧室３ｂ）に油圧オイルが供給されているときには、下側油圧室３ｃ内の油圧オイルが、第２オイル供給ライン２６及び切換バルブ２７を介して油圧供給源２２のオイルタンクにドレンされるようになっている。逆に、切換バルブ２７によって第２オイル供給ライン２６（つまり下側油圧室３ｃ）に油圧オイルが供給されているときには、上側油圧室３ｂ内の油圧オイルが、第１オイル供給ライン２５及び切換バルブ２７を介して上記オイルタンクにドレンされるようになっている。
【００３２】
上側油圧室３ｂに供給される油圧オイルの圧力は、油圧調整バルブ２８によって、調整可能になっている。本実施形態では、油圧調整バルブ２８による上側油圧室３ｂへの油圧オイルの圧力は、第１所定圧と、該第１所定圧よりも低い第２所定圧とに２段階に調整可能である。
【００３３】
詳細な図示は省略するが、モータ作動軸８は、その上端部にて、コントロールユニット５０によって制御される作動軸駆動モータ９に連結されている。この作動軸駆動モータ９の駆動により、モータ作動軸８がその軸方向の上側又は下側に移動するようになっている。尚、作動軸駆動モータ９は、ここでは、該作動軸駆動モータ９のモータ軸の回転をモータ作動軸８の軸方向の移動に変換するための変換機構を含む。作動軸駆動モータ９のモータ軸の正回転によりモータ作動軸８が下側に移動し、該モータ軸の逆回転によりモータ作動軸８が上側に移動する。
【００３４】
本体軸３の下端部近傍には、中空状の砥石装着部３ｄが設けられており、この砥石装着部３ｄに、複数の仕上げ研摩砥石１１と複数の荒研摩砥石１２とが装着されている。具体的には、砥石装着部３ｄの内部には、複数の仕上げ研摩砥石１１をそれぞれ保持する複数の仕上げ研摩砥石保持部材１３と、複数の荒研摩砥石１２をそれぞれ保持する複数の荒研摩砥石保持部材１４とが設けられている。上記複数（全て）の仕上げ研摩砥石保持部材１１は、本体軸３の周方向に並べられている。また、上記複数（全て）の荒研摩砥石保持部材１２も、仕上げ研摩砥石保持部材１１と同じ高さ位置で、本体軸３の周方向に並べられている。本実施形態では、仕上げ研摩砥石保持部材１１及び荒研摩砥石保持部材１２が本体軸３の周方向に交互に並べられている。但し、このような並び方には限られない。また、仕上げ研摩砥石保持部材１１及び荒研摩砥石保持部材１２の数が同じでなくてもよい。
【００３５】
砥石装着部３ｄには、上記複数の仕上げ研摩砥石保持部材１３がそれぞれ装填される複数の仕上げ研摩砥石保持部材用窓３ｅが本体軸３の周方向に並ぶように形成されているとともに、上記複数の荒研摩砥石保持部材１４がそれぞれ装填される複数の荒研摩砥石保持部材用窓３ｆが本体軸３の周方向に並ぶように形成されている。本実施形態では、仕上げ研摩砥石保持部材用窓３ｅ及び荒研摩砥石保持部材用窓３ｆが、本体軸３の周方向に交互に並ぶことになる。
【００３６】
各仕上げ研摩砥石保持部材１３の外側面に各仕上げ研摩砥石１１が固着されており、各仕上げ研摩砥石保持部材用窓３ｅから各仕上げ研摩砥石１１が砥石装着部３ｄの外側（本体軸３の外側）に臨んでいる。各仕上げ研摩砥石１１は、後述の如く仕上げ研摩砥石１１の砥石径が拡大される前は、該仕上げ研摩砥石１１の外側面が砥石装着部３ｄの側周面と略同じ位置に位置する状態にある。この状態で、仕上げ研摩砥石１１の砥石径（周方向に並ぶ上記複数の仕上げ研摩砥石１１の外接円の直径）は最小の値になる。この最小の値は、砥石装着部３ｄの外径と略同じである。また、各荒研摩砥石保持部材１４の外側面に各荒研摩砥石１２が固着されており、各荒研摩砥石保持部材用窓３ｆから各荒研摩砥石１２が砥石装着部３ｄの外側（本体軸３の外側）に臨んでいる。各荒研摩砥石１２は、後述の如く荒研摩砥石１２の砥石径が拡大される前は、該荒研摩砥石１２の外側面が砥石装着部３ｄの側周面と略同じ位置に位置する状態にある。この状態で、荒研摩砥石１２の砥石径（周方向に並ぶ上記複数の荒研摩砥石１２の外接円の直径）は最小の値になる。この最小の値は、仕上げ研摩砥石１１の砥石径の上記最小の値と同じであって、砥石装着部３ｄの外径と略同じである。
【００３７】
各仕上げ研摩砥石保持部材１３は、対応する仕上げ研摩砥石保持部材用窓３ｅに対して、本体軸３の径方向にスライド可能に装填されている。各仕上げ研摩砥石保持部材１３が本体軸３の径方向にスライドすることで、各仕上げ研摩砥石１１が、各仕上げ研摩砥石保持部材用窓３ｅから砥石装着部３ｄの外側に突出した状態になったり、上記のように仕上げ研摩砥石１１の外側面が砥石装着部３ｄの側周面と略同じ位置に位置する状態になったりする。また、各荒研摩砥石保持部材１４は、対応する荒研摩砥石保持部材用窓３ｆに対して、本体軸３の径方向にスライド可能に装填されている。各荒研摩砥石保持部材１４が本体軸３の径方向にスライドすることで、各荒研摩砥石１２が、各荒研摩砥石保持部材用窓３ｆから砥石装着部３ｄの外側に突出した状態になったり、上記のように荒研摩砥石１２の外側面が砥石装着部３ｄの側周面と略同じ位置に位置する状態になったりする。このように、上記複数の仕上げ研摩砥石１１及び上記複数の荒研摩砥石１２は、ホーニングツール２（本体軸３）の周方向に並べられかつホーニングツール２（本体軸３）の径方向に拡大及び縮小可能にホーニングツール２（砥石装着部３ｄ）に装着されていることになる。
【００３８】
各仕上げ研摩砥石保持部材１３の内側面における上下２箇所は、下側にいくに従って本体軸３の径方向内側に向かうように傾斜する傾斜面１３ａがそれぞれ形成されている。また、各荒研摩砥石保持部材１４の内側面における上下２箇所にも、下側にいくに従って本体軸３の径方向内側に向かうように傾斜する傾斜面１４ａがそれぞれ形成されている。
【００３９】
油圧作動軸７の下端部における上下２箇所には、下側にいくに従って径が小さくなるテーパ部７ｂがそれぞれ形成されている。これら上下のテーパ部７ｂの外周面（コーン面）は、上記複数の仕上げ研摩砥石保持部材１３における上下の傾斜面１３ａにそれぞれ接触している。そして、油圧供給装置２０からの油圧オイルの供給を受けて（油圧供給装置２０から上側油圧室３ｂに油圧オイルが供給されて）油圧作動軸７が下側に移動すると、油圧作動軸７のテーパ部７ｂの外周面によって、上記複数の仕上げ研摩砥石保持部材１３の傾斜面１３ａが本体軸３の径方向外側に押圧され、これにより、上記複数の仕上げ研摩砥石保持部材１３が本体軸３の径方向外側にスライドする。このように、油圧作動軸７の軸方向の移動（下側への移動）により、仕上げ研摩砥石１１の砥石径が拡大されることになる。したがって、油圧作動軸７、仕上げ研摩砥石保持部材１３及び油圧供給装置２０は、仕上げ研摩砥石１１の砥石径を拡大させる仕上げ研摩砥石径拡大装置１７を構成することになる。
【００４０】
上記仕上げ研摩砥石径拡大装置１７による仕上げ研摩砥石１１の砥石径の拡大により、上記複数の仕上げ研摩砥石１１がワークの円筒状内周面６０に接触する。ホーニング加工装置１は、このように仕上げ研摩砥石１１の砥石径を拡大させた状態（仕上げ研摩砥石１１を円筒状内周面６０に接触させた状態）で、ホーニングツール２を軸方向に往復移動させかつ回転駆動することにより円筒状内周面６０をホーニング加工（仕上げ研摩加工）する。
【００４１】
油圧作動軸７における上下のテーパ部７ｂの間の部分であって周方向の各仕上げ研摩砥石保持部材１３に対応する位置には、上側にいくに従って本体軸３の径方向外側に向かうように傾斜して延びる連結部材１５の下端部が固定されている。各連結部材１５が延びる方向の、油圧作動軸７の軸方向（上下方向）に対する傾斜角度は、各仕上げ研摩砥石保持部材１３の傾斜面１３ａの、油圧作動軸７の軸方向に対する傾斜角度と略同じである。各連結部材１５は、各仕上げ研摩砥石保持部材１３に形成されかつ断面が連結部材１５の断面と略同じ形状である凹部１３ｂ内に差し込まれている。そして、油圧作動軸７が下側に移動すると、油圧作動軸７と共に下側に移動する各連結部材１５が、本体軸３の径方向外側にスライドする各仕上げ研摩砥石保持部材１３の凹部１３ｂに対して、該凹部１３ｂから外れる側（下側）に移動する。
【００４２】
一方、油圧作動軸７が上側に移動すると、各連結部材１５が各仕上げ研摩砥石保持部材１３の凹部１３ｂの奥側に入り込んでいく。これにより、各仕上げ研摩砥石保持部材１３が本体軸３の径方向内側にスライドする。こうして、仕上げ研摩砥石１１の砥石径が縮小することになる。
【００４３】
また、モータ作動軸８の下端部における上下２箇所（油圧作動軸７のテーパ部７ｂの内側に相当する部分）にも、下側にいくに従って径が小さくなるテーパ部８ａがそれぞれ形成されている。油圧作動軸７のテーパ部７ｂにおける周方向の各荒研摩砥石保持部材１４に対応する位置には、油圧作動軸７を内外に貫く貫通孔７ｃが形成されており、この各貫通孔７ｃを通して各荒研摩砥石保持部材１４が油圧作動軸７の内側に入り込んでいる。これにより、各荒研摩砥石保持部材１４の上下の傾斜面１４ａが油圧作動軸７の内側に位置し、これら上下の傾斜面１４ａに、モータ作動軸８の上下のテーパ部８ａの外周面がそれぞれ接触している。そして、モータ作動軸８が下側に移動すると、油圧作動軸７が下側に移動するときと同様に、モータ作動軸８のテーパ部８ａの外周面によって、上記複数の荒研摩砥石保持部材１４の傾斜面１４ａが本体軸３の径方向外側に押圧され、これにより、上記複数の荒研摩砥石保持部材１４が本体軸３の径方向外側にスライドする。このように、モータ作動軸８の軸方向の移動（下側への移動）により、荒研摩砥石１２の砥石径が拡大されることになる。したがって、モータ作動軸８、作動軸駆動モータ９及び荒研摩砥石保持部材１４は、荒研摩砥石１２の砥石径を拡大させる荒研摩砥石径拡大装置１８を構成することになる。
【００４４】
上記荒研摩砥石径拡大装置１８による荒研摩砥石１２の砥石径の拡大により、各荒研摩砥石１２がワークの円筒状内周面６０に接触する。ホーニング加工装置１は、このように荒研摩砥石１２の砥石径を拡大させた状態（荒研摩砥石１２を円筒状内周面６０に接触させた状態）で、ホーニングツール２を軸方向に往復移動させかつ回転駆動することにより円筒状内周面６０をホーニング加工（荒研摩加工）する。
【００４５】
モータ作動軸８における上下のテーパ部８ａの間の部分であって周方向の各荒研摩砥石保持部材１４に対応する位置には、油圧作動軸７に固定された連結部材１５と同様の連結部材１６の下端部が固定されており、各連結部材１６は、各荒研摩砥石保持部材１４に形成されかつ断面が連結部材１６の断面と略同じ形状である凹部１４ａ内に差し込まれている。モータ作動軸８が上側に移動すると、油圧作動軸７が上側に移動するときと同様に、各連結部材１６が各荒研摩砥石保持部材１４の凹部１４ａの奥側に入り込んでいく。これにより、各荒研摩砥石保持部材１４が本体軸３の径方向内側にスライドする。こうして、荒研摩砥石１２の砥石径が縮小することになる。
【００４６】
本実施形態に係るホーニング加工装置１は、上記のように仕上げ研摩加工及び荒研摩加工の両方のホーニング加工を行うことができる。ホーニング加工装置１は、先に荒研摩加工を行い、その後連続して仕上げ研摩加工を行う。
【００４７】
図２に示すように、荒研摩加工により研摩した円筒状内周面６０の表面側の尖っている山の部分（二点鎖線で示す部分）を、仕上げ研摩加工により研摩して、円筒状内周面６０の表面を出来る限り平滑にする。これにより、ワークの円筒状内周面６０が、特にディーゼルエンジンのシリンダライナの内周面である場合には、該内周面にエンジンオイルが溜まるような溝が形成されつつ、該内周面の表面は平滑であるので、上記ディーゼルエンジンのピストン及びシリンダライナの耐摩耗性を向上させることができるとともに、上記ピストン及びシリンダライナ間の摺動抵抗を低減することができるようになる。
【００４８】
ワークの円筒状内周面６０の荒研摩加工及び仕上げ研摩加工を行うために、コントロールユニット５０は、先ず、仕上げ研摩砥石１１の砥石径及び荒研摩砥石１２の砥石径をそれぞれ上記最小の値に縮小させた状態で、本体軸駆動機構５を作動させて本体軸３の砥石装着部３ｄを、ワークにおける円筒状内周面６０で囲まれた孔内に挿入させる。すなわち、仕上げ研摩砥石１１の砥石径及び荒研摩砥石１２の砥石径の各上記最小の値（砥石装着部３ｄの外径）は、上記孔の径よりも小さい。
【００４９】
その後、本体軸駆動機構５による本体軸３の往復移動及び回転を開始させるとともに、作動軸駆動モータ９のモータ軸の正回転を開始させる。これにより、モータ作動軸８が下側に移動して荒研摩砥石１２の砥石径が拡大し始め、やがて上記複数の荒研摩砥石１２が円筒状内周面６０に接触する。この接触時にワークに大きな力が作用しないように、上記正回転の回転速度が設定されている。この接触以降も荒研摩砥石１２の砥石径が拡大し続けて、荒研摩加工がなされる。本実施形態では、不図示の測定装置により、上記孔の径を測定しながら荒研摩加工を行う。コントロールユニット５０は、その測定装置による測定値が所定の径に達したときに、作動軸駆動モータ９のモータ軸の正回転を停止させ、該停止後にモータ軸の逆回転によりモータ作動軸８を上側に移動させて、荒研摩砥石１２の砥石径を縮小させる。尚、本体軸駆動機構５による本体軸３の往復移動及び回転は継続している。
【００５０】
コントロールユニット５０は、荒研摩砥石１２の砥石径が上記最小の値になったときに、作動軸駆動モータ９を停止させ、今度は、油圧供給装置２０を作動させて、上側油圧室３ｂに油圧オイルを供給させる。これにより、油圧作動軸７が下側に移動して、仕上げ研摩砥石１１の砥石径が拡大する。
【００５１】
油圧作動軸７の下側への移動（仕上げ研摩砥石１１の砥石径の拡大）を出来る限り速くするために、コントロールユニット５０は、上側油圧室３ｂへの油圧オイルの供給開始初期は、油圧調整バルブ２８による上側油圧室３ｂへの油圧オイルの圧力を上記第１所定圧に設定する。そして、上側油圧室３ｂへの油圧オイルの供給開始から予め決められた時間（仕上げ研摩砥石１１がワークの円筒状内周面６０に接触しないような時間（後述のｔ１時間））が経過した後に、油圧調整バルブ２８による上側油圧室３ｂへの油圧オイルの圧力を、上記第２所定圧に低下させる。これにより、上記第２所定圧でもって仕上げ研摩砥石１１がワークの円筒状内周面６０に接触するので、ワークに大きな力が作用することはない。しかも、油圧オイルの弾性力によっても、ワークに大きな力が作用するのを防止することができる。仕上げ研摩加工中は、上記第２所定圧が維持される。
【００５２】
本実施形態では、油圧供給装置２０の第１オイル供給ライン２５に、流量検出装置３１が設けられている。この流量検出装置３１は、第１オイル供給ライン２５を流れる油圧オイルの流量を検出する。上側油圧室３ｂへの油圧オイルの供給開始以降（つまり、仕上げ研摩砥石１１の砥石径の拡大開始以降）において、第１オイル供給ライン２５を流れる油圧オイルの流量は、上側油圧室３ｂへの油圧オイルの供給流量である。流量検出装置３１による検出値は、コントロールユニット５０に入力される。
【００５３】
上側油圧室３ｂへの油圧オイルの供給流量は、仕上げ研摩砥石１１の砥石径の拡大開始以降において、上記複数の仕上げ研摩砥石１１が円筒状内周面６０に接触するまでは値が変化する一方、接触したとき以降は略一定の値になる所定のパラメータに相当する。
【００５４】
本実施形態では、上記のように、上側油圧室３ｂへの油圧オイルの供給開始初期に、上側油圧室３ｂに供給される油圧オイルの圧力が上記第１所定圧に設定され、その供給開始からｔ１時間経過後に、該第１所定圧よりも低い上記第２所定圧に変更される。これにより、上側油圧室３ｂへの油圧オイルの供給開始以降に流量検出装置３１により検出される流量は、図３に実線で示すように変化する。すなわち、上側油圧室３ｂへの油圧オイルの供給開始からｔ１時間が経過するまでは、上記流量が急激に上昇し、ｔ１時間が経過した以降は、上記流量が減少する。そして、上側油圧室３ｂへの油圧オイルの供給開始からｔ２時間が経過したときに、上記複数の仕上げ研摩砥石１１が円筒状内周面６０に接触することで、上記流量が略一定の値になる（上記流量の変化が所定値以下になる）。
【００５５】
尚、本実施形態では、複数の仕上げ研摩砥石１１の砥石径の拡大動作を早めるために、上側油圧室３ｂへの油圧オイルの供給開始初期の該油圧オイルの圧力を、上記第２所定圧よりも高い上記第１所定圧に設定している。これに代えて、例えば、切換バルブ２７により上側油圧室３ｂへの油圧オイルの圧力を切り換えないで、上側油圧室３ｂへの油圧オイルの供給開始から、その圧力を上記第２所定圧に設定してもよい。この場合には、上側油圧室３ｂへの油圧オイルの供給開始からｔ３時間（＞ｔ２時間）が経過したときに、上記流量が略一定の値になる（上記流量の変化が上記所定値以下になる）。
【００５６】
コントロールユニット５０は、仕上げ研摩砥石１１の砥石径の拡大開始以降において、流量検出装置３１により検出される流量の変化が上記所定値以下となる状態が所定時間継続したときに、上記複数の仕上げ研摩砥石１１が円筒状内周面６０に接触したと判断する。上記所定時間は、上記流量が略一定の値になったと確実に判断できるような出来る限り短い時間に設定される。これにより、上記判断時は、仕上げ研摩砥石１１が円筒状内周面６０に実際に接触したときと見做すことができる。
【００５７】
そして、コントロールユニット５０は、上記複数の仕上げ研摩砥石１１が円筒状内周面６０に接触したと判断したときを、仕上げ研摩砥石１１による円筒状内周面６０の仕上げ研摩加工の開始の基準にして所定条件が成立するまで該仕上げ研摩加工を実行する。このようにコントロールユニット５０は、仕上げ研摩砥石１１が円筒状内周面６０に接触したとの判断を行いかつ該判断時を上記仕上げ研摩加工の開始の基準にして所定条件が成立するまで該仕上げ研摩加工を実行する制御装置に相当する。
【００５８】
本実施形態では、上記所定条件は、上記判断時からの本体軸３の往復移動の回数（ここでは、往動作及び復動作をそれぞれ１回と数える）が、所定回数（例えば２〜４回）に達するという条件であるか、又は、上記判断時からの経過時間が、予め設定された設定時間（往動作又は復動作にかかる時間に上記所定回数を掛けて得られる時間）に達するという条件である。
【００５９】
仕上げ研摩砥石１１は、上記判断時（円筒状内周面６０に実際に接触したとき）から、上記第２所定圧でもって円筒状内周面６０に接触しながら、本体軸３の軸方向に往復移動しかつ本体軸３の中心軸回りに回転することによって、仕上げ研摩加工が行われることになる。この仕上げ研摩加工は、上記判断時からの上記回数又は上記経過時間に関しての上記所定条件が成立するまで実行される（つまり、上記判断時が該仕上げ研摩加工の開始の基準とされる）ので、仕上げ研摩砥石１１の摩耗の大小に関係なく、仕上げ研摩砥石１１がワークの円筒状内周面６０に実際に接触したときから同じ条件で仕上げ研摩加工が実行されることになる。
【００６０】
そして、コントロールユニット５０は、上記所定条件が成立したとき、本体軸駆動機構５による本体軸３の往復移動及び回転を停止させるとともに、上側油圧室３ｂへの油圧オイルの供給を停止する。本実施形態では、切換バルブ２７により油圧オイルの供給先を切り換えることにより、上側油圧室３ｂへの油圧オイルの供給を停止するとともに、下側油圧室３ｃに油圧オイルを供給する。これにより、油圧作動軸７が上側に移動して、仕上げ研摩砥石１１の砥石径が縮小する。仕上げ研摩砥石１１の砥石径が上記最小の値になったときに、油圧供給装置２０を停止させるとともに、本体軸駆動機構５を作動させて本体軸３の砥石装着部３ｄを上記孔から抜く。こうしてワークの円筒状内周面６０の荒研摩加工及び仕上げ研摩加工が終了する。
【００６１】
ここで、コントロールユニット５０による、仕上げ研摩砥石１１の砥石径の拡大開始から仕上げ研摩加工の実行までの制御動作について、図４のフローチャートに基づいて説明する。
【００６２】
最初のステップＳ１で、油圧供給装置２０（油圧供給源２２、切換バルブ２７、油圧調整バルブ２８）を作動させて、上側油圧室３ｂへ油圧オイルを供給し、これにより、仕上げ研摩砥石１１の砥石径を拡大させる。尚、図４のフローチャートでは、油圧調整バルブ２８による上側油圧室３ｂへの油圧オイルの圧力の変更（上記第１所定圧から上記第２所定圧への変更）の動作については、省略している。また、上記のように、油圧供給装置２０の作動の前から、本体軸駆動機構５により本体軸３が軸方向に往復移動しかつ中心軸回りに回転し続けている。
【００６３】
次のステップＳ２では、流量検出装置３１による流量の検出間隔を設定する。この流量の検出間隔は、例えば０．０１ｓ〜０．１ｓである。
【００６４】
次のステップＳ３では、上記設定した検出間隔で、流量検出装置３１から流量の検出値を取り込む。この動作は、後述のステップＳ９の動作を開始する手前まで行われる。
【００６５】
次のステップＳ４では、上記取り込んだ検出値の現在値と１つに前の前回値とを比較して、上記検出値が増加中であるか又は減少中であるかを識別する。この動作も、後述のステップＳ９の動作を開始する手前まで行われる。
【００６６】
次のステップＳ５では、上側油圧室３ｂへ油圧オイルの供給開始から、予め設定された第１判定時間が経過したか否かを判定する。このステップＳ５の判定がＮＯであるときには、ステップＳ６に進む一方、ステップＳ５の判定がＹＥＳであるときには、ステップＳ１１に進む。
【００６７】
上記ステップＳ６では、上記検出値が増加した後に減少したか否かを判定する。このステップＳ６の判定がＮＯであるときには、上記ステップＳ５に戻る一方、ステップＳ６の判定がＹＥＳであるときには、ステップＳ７に進む。
【００６８】
上記ステップＳ５は、油圧調整バルブ２８による上側油圧室３ｂへの油圧オイルの圧力の変更に伴って、上記検出値が上昇から下降に変化するかを確認するためのステップである。ホーニング加工装置１（特に油圧供給装置２０、流量検出装置３１等）が正常に作動していれば、上側油圧室３ｂへ油圧オイルの供給開始から上記第１判定時間が経過するまでに上記変化を確認可能であるが、何らかの異常が生じることによって、上記第１判定時間が経過しても、上記変化が確認できなければ、後述するように、異常と判定することになる（ステップＳ１１参照）。
【００６９】
上記ステップＳ７では、上側油圧室３ｂへ油圧オイルの供給開始から、予め設定された第２判定時間（＞第１判定時間）が経過したか否かを判定する。このステップＳ７の判定がＮＯであるときには、ステップＳ８に進む一方、ステップＳ７の判定がＹＥＳであるときには、ステップＳ１１に進む。
【００７０】
上記ステップＳ８では、上記検出値の変化が上記所定値以下となる状態が上記所定時間継続したか否かを判定する。ここでは、上記所定時間は、上記検出間隔に、流量を検出する所定の回数（例えば４〜６回）から１を引いた値を掛けて得られた時間に設定される。上記ステップＳ８の判定がＮＯであるときには、上記ステップＳ７に戻る一方、ステップＳ８の判定がＹＥＳであるときには、ステップＳ９に進む。
【００７１】
ホーニング加工装置１（特に油圧供給装置２０、流量検出装置３１、仕上げ研摩砥石径拡大装置１７等）が正常に作動していれば、上側油圧室３ｂへ油圧オイルの供給開始から上記第２判定時間が経過するまでに、上記ステップＳ８の判定がＹＥＳになるが、何らかの異常が生じることによって、上記第２判定時間が経過しても、上記ステップＳ８の判定がＹＥＳにならなければ、異常と判定することになる（ステップＳ１１参照）。
【００７２】
上記ステップＳ９では、上記複数の仕上げ研摩砥石１１が円筒状内周面６０に接触したと判断し、次のステップＳ１０で、上記判断時を仕上げ研摩砥石１１による円筒状内周面６０の仕上げ研摩加工の開始の基準にして上記所定条件が成立するまで該仕上げ研摩加工を実行する。
【００７３】
上記ステップＳ９の後（上記所定条件が成立した後）、本体軸３の往復移動及び回転の停止や、仕上げ研摩砥石１１の砥石径の縮小動作等を行って（図４では省略）、本制御を終了する。
【００７４】
上記ステップＳ５の判定がＹＥＳであるとき、及び、上記ステップＳ７の判定がＹＥＳであるときに進むステップＳ１１では、ホーニング加工装置１に異常が発生したと判断して、ホーニング加工装置１の作動を停止させ、しかる後に本制御を終了する。尚、ステップＳ１１では、異常が発生した旨の警報を発するようにしてもよい。
【００７５】
したがって、本実施形態では、複数の仕上げ研摩砥石１１がワークの円筒状内周面６０に接触したことを正確に判断することができるとともに、その判断時を仕上げ研摩砥石１１による円筒状内周面６０の仕上げ研摩加工の開始の基準にして所定条件が成立するまで該仕上げ研摩加工を実行するので、仕上げ研摩砥石１１の摩耗が大きくても小さくても、仕上げ研摩砥石１１がワークの円筒状内周面６０に実際に接触したときから同じ条件で仕上げ研摩加工を実行することができる。この結果、仕上げ研摩砥石１１の摩耗の大小に関係なく、仕上げ研摩砥石１１による仕上げ研摩加工後におけるワークの円筒状内周面６０の表面粗さのばらつきを出来る限り小さくすることができる。
【００７６】
また、本実施形態では、１つのホーニング加工装置１により、ワークの円筒状内周面６０に対して荒研摩加工と仕上げ研摩加工とを行うことができる。そして、荒研摩加工後に仕上げ研摩加工を行うことで、荒研摩加工後における円筒状内周面６０の表面粗さがばらついたとしても、最終的には、仕上げ研摩加工により、円筒状内周面６０の表面粗さのばらつきを小さくすることができる。
【００７７】
（実施形態２）
図５は、本発明の実施形態２を示す。尚、図１と同じ部分については同じ符号を付して、その詳細な説明は省略する。
【００７８】
本実施形態では、仕上げ研摩砥石１１の砥石径を拡大させるために油圧供給装置２０から供給される油圧オイルの供給流量（上側油圧室３ｂへの油圧オイルの供給流量）を検出する代わりに、油圧作動軸７の軸方向の位置（高さ位置）を検出する。このため、本実施形態では、油圧オイルの流量を検出する流量検出装置３１は設けられておらず、その代わりに、油圧作動軸７の軸方向の位置を検出する位置検出装置３５が設けられている。その他の構成は、上記実施形態１と同様である。
【００７９】
具体的に、本実施形態では、ホーニングツール２の本体軸３内に設けられた油圧作動軸７が、モータ作動軸８と同様に、本体軸３の上端開口から本体軸３の外側（上側）に延出している。この油圧作動軸７の上端部に、被検出部７ｄが油圧作動軸７の軸方向に突出するように設けられている。この被検出部７ｄに対して油圧作動軸７の軸方向に対向するように、位置検出装置３５が配設されている。この位置検出装置３５は、被検出部７ｄの高さ位置に応じた検出値をコントロールユニット５０に出力する。本実施形態では、位置検出装置３５は、渦電流式の位置検出装置である。尚、位置検出装置５０は、渦電流式に限らず、可変抵抗式、光学式、静電容量式等といった種々の位置検出装置で構成することも可能である。
【００８０】
仕上げ研摩砥石１１の砥石径の拡大開始以降（上側油圧室３ｂへの油圧オイルの供給開始以降）において、位置検出装置３５により検出される、油圧作動軸７の軸方向の位置（被検出部７ｄの高さ位置）は、図６のように変化して、流量検出装置３１により検出される流量と同様に、上側油圧室３ｂへの油圧オイルの供給開始から上記ｔ２時間が経過したときに、上記複数の仕上げ研摩砥石１１が円筒状内周面６０に接触することで、略一定の値になる。すなわち、油圧作動軸７の軸方向の位置は、仕上げ研摩砥石１１の砥石径の拡大開始以降において、上記複数の仕上げ研摩砥石１１がワークの円筒状内周面６０に接触するまでは値が変化する一方、接触したとき以降は略一定の値になる所定のパラメータに相当する。
【００８１】
コントロールユニット５０は、上記実施形態１と同様に、仕上げ研摩砥石１１の砥石径の拡大開始以降において、位置検出装置３５により検出される、油圧作動軸７の軸方向の位置の変化が所定値（上記実施形態１における所定値とは異なる）以下となる状態が上記所定時間継続したときに、上記複数の仕上げ研摩砥石１１が円筒状内周面６０に接触したと判断する。
【００８２】
そして、コントロールユニット５０は、上記実施形態１と同様に、上記複数の仕上げ研摩砥石１１が円筒状内周面６０に接触したと判断したときを、仕上げ研摩砥石１１による円筒状内周面６０の仕上げ研摩加工の開始の基準にして上記所定条件が成立するまで該仕上げ研摩加工を実行する。
【００８３】
したがって、本実施形態においても、上記実施形態１と同様に、仕上げ研摩砥石１１の摩耗の大小に関係なく、仕上げ研摩砥石１１による仕上げ研摩加工後におけるワークの円筒状内周面６０の表面粗さのばらつきを出来る限り小さくすることができる。
【００８４】
本発明は、上記実施形態に限られるものではなく、請求の範囲の主旨を逸脱しない範囲で代用が可能である。
【００８５】
例えば、上記実施形態１及び２では、ホーニング加工装置１のホーニングツール２に、複数の仕上げ研摩砥石１１と複数の荒研摩砥石１２とが装着されているが、複数の仕上げ研摩砥石１１のみが装着されていてもよい。この場合、上記実施形態１及び２の、荒研摩砥石１２の砥石径を拡大させる荒研摩砥石径拡大装置１８は不要になる。
【００８６】
或いは、ホーニングツール１に複数の荒研摩砥石１２のみが装着されていてもよい。この場合、荒研摩砥石１２の砥石径を、上記実施形態１及び２の仕上げ研摩砥石径拡大装置１７と同様の構成の荒研摩砥石径拡大装置（油圧作動軸７と同様の油圧作動軸を有する）により拡大させるようにする。そして、荒研摩加工の実行を、上記実施形態１及び２における仕上げ研摩加工の実行と同様にする。すなわち、流量検出装置又は位置検出装置により所定のパラメータ（上側油圧室への油圧オイルの供給流量又は上記油圧作動軸の軸方向の位置）を検出し、上記荒砥石径拡大装置による荒研摩砥石１２の砥石径の拡大開始以降において、上記流量検出装置又は上記位置検出装置により検出される上記所定のパラメータの変化が所定値以下となる状態が所定時間継続したときに、複数の荒研摩砥石１２が円筒状内周面６０に接触したと判断するとともに、該判断時を荒研摩砥石１２による円筒状内周面６０の荒研摩加工の開始の基準にして所定条件が成立するまで該荒研摩加工を実行する。ここでの所定条件も、上記実施形態１及び２における仕上げ研摩加工に関する所定条件と同様にすればよい（所定回数や設定時間の具体的な値は、仕上げ研摩加工に関する所定条件とは異なる）。
【００８７】
また、上記実施形態１及び２の荒研摩砥石径拡大装置１８を、上記実施形態１及び２の仕上げ研摩砥石径拡大装置１７と同様の構成（油圧作動軸７と同様の油圧作動軸を有する構成）にしてもよい。この場合も、荒研摩加工の実行を、上記実施形態１及び２における仕上げ研摩加工の実行と同様にすることができて、上記測定装置を省略することができる。
【００８８】
上述の実施形態は単なる例示に過ぎず、本発明の範囲を限定的に解釈してはならない。本発明の範囲は請求の範囲によって定義され、請求の範囲の均等範囲に属する変形や変更は、全て本発明の範囲内のものである。
【産業上の利用可能性】
【００８９】
本発明は、複数の砥石が周方向に並べられかつ径方向に拡大及び縮小可能に装着されたホーニングツールを用いて、ワークの円筒状内周面をホーニング加工するホーニング加工装置に有用であり、特にワークの円筒状内周面に対して仕上げ研摩加工を行う場合に有用である。
【符号の説明】
【００９０】
１      ホーニング加工装置
２      ホーニングツール
３      本体軸
７      油圧作動軸
８      モータ作動軸
９      作動軸駆動モータ
１１    仕上げ研摩砥石
１２    荒研摩砥石
１３    仕上げ研摩砥石保持部材
１４    荒研摩砥石保持部材
１７    仕上げ研摩砥石径拡大装置
１８    荒研摩砥石径拡大装置
２０    油圧供給装置
３１    流量検出装置
３５    位置検出装置
５０    コントールユニット（制御装置）
６０    ワークの円筒状内周面
【図１】
2018043303.tif 000003
【図２】
2018043303.tif 000004
【図３】
2018043303.tif 000005
【図４】
2018043303.tif 000006
【図５】
2018043303.tif 000007
【図６】
2018043303.tif 000008